(57)【要約】【課題】  画像出力装置において、写真フィルム上の画像全体を切出してユーザに提供できるようにする。【解決手段】  表示部６３に最初に表示されるデフォルトの選択枠の大きさは、分かっているフィルムのコマ画像の比と同一大きさに設定されている。選択枠の大きさを拡大したいときには大きさ変更用ボタン６７ａを、縮小したいときには大きさ変更用ボタン６７ｂを、夫々押圧操作する。選択枠の表示位置を上方向に移動させたいときには位置変更用ボタン６９ｃを、下方向に移動させたいときには位置変更用ボタン６９ｄを、夫々押圧操作する。選択枠の表示位置を左方向に移動させたいときには位置変更用ボタン６９ａを、右方向に移動させたいときには位置変更用ボタン６９ｂを、夫々押圧操作する。【選択図】        図４
2005323184.tif 000002
【特許請求の範囲】
【請求項１】
写真フィルムをスキャンする読取り手段を有し該読取り手段によるスキャン画像データに基づく画像データを出力する画像出力装置であって、
写真コマの画像領域より少し小さい領域の第１画像データを出力する第１のモードと、前記写真コマの画像領域と一致もしくは少し大きい領域の第２画像データから切り出した所定領域の画像データを出力する第２のモードとを有し、いずれか一方のモードを選択する選択手段と、
前記第２のモードが選択された場合は、前記第２画像データが示す画像を切出し手段とともに表示し、前記切出し手段によって切り出した領域の画像データを出力する手段と、
を備える画像出力装置。
【請求項２】
前記スキャン画像データに基づいて写真コマの画像領域を判別する判別手段と、
選択された前記モードに応じて前記判別手段に基づく領域の画像データを取得する取得手段とを備え、
前記取得手段は、前記第２のモードが選択された場合は、前記写真コマの画像領域と一致もしくは少し大きい領域の第２画像データを前記スキャン画像データから取得する請求項１記載の画像出力装置。
【請求項３】
前記切出し手段は前記写真コマの画像領域に略同一なアスペクト比の切り出し枠である請求項１記載の画像出力装置。
【請求項４】
着脱可能な記憶媒体の装着部を更に備え、
前記記憶媒体には、前記第１のモードでは、写真コマの画像領域より少し小さい領域の第１画像データが記憶され、前記第２のモードでは、前記切出し手段によって切出した領域の画像データが記憶される請求項１乃至請求項３のいずれか１項記載の画像出力装置。
【請求項５】
画像データを印刷する印刷手段を更に備え、
前記印刷手段は、前記第１のモードでは、写真コマの画像領域より少し小さい領域の第１画像データが示す画像を印刷し、前記第２のモードでは、前記切出し手段によって切出した領域の画像データが示す画像を印刷する請求項１乃至請求項４のいずれか１項記載の画像出力装置。
【請求項６】
写真フィルムをスキャンする読取り手段を有し該読取り手段によるスキャン画像データに基づく画像データを出力する画像出力装置であって、
写真コマの画像領域と一致もしくは少し大きい領域の第２画像データが示す画像を切出し手段とともに表示し、前記切出し手段によって切出した領域の画像データを出力する手段、
を備える画像出力装置。
【請求項７】
前記切出し手段は前記写真コマの画像領域に略同一なアスペクト比の切出し枠である請求項６記載の画像出力装置。
【請求項８】
写真フィルムをスキャンする読取り手段を有し該読取り手段によるスキャン画像データに基づく画像データを出力する画像出力装置において、
写真コマの画像領域より少し小さい領域の第１画像データを出力する第１のモードと、前記写真コマの画像領域と一致もしくは少し大きい領域の第２画像データから切り出した所定領域の画像データを出力する第２のモードとを有し、いずれか一方のモードを選択するステップと、
前記選択するステップにおいて前記第２のモードが選択された場合は、前記第２画像データが示す画像を切出し手段とともに表示し、前記切出し手段によって切り出した領域の画像データを出力するステップと、
を備える画像出力方法。
【発明の詳細な説明】
【技術分野】
【０００１】
本発明は、写真フィルムをスキャンする読取り手段を有し該読取り手段によるスキャン画像データに基づく画像データを出力する画像出力方法、及び装置に関する。
【背景技術】
【０００２】
従来、画像形成装置において、スキャンされた画像を表示し、該表示された画像からユーザが必要とする画像をユーザ自身に選択させる技術が知られている（例えば特許文献１参照）。
【０００３】
【特許文献１】特開2001-166395号公報
【発明の開示】
【発明が解決しようとする課題】
【０００４】
ところで、画像出力装置において、写真フィルムにおける各写真コマ（フィルムコマ）の大きさよりも大きな領域の画像をスキャンニングすると、対象となる各写真コマの画像に加えて、上記フィルムを保持しているホルダの画像や、各フィルムコマ同士の仕切りの部分の画像等をも含んだ画像がプリンタによって印刷されてしまうという不具合がある。そこで、上記技術においては、写真コマと推定した領域より小さく切出した写真コマの画像を、プリンタに出力していた。しかし、上記のように、写真コマよりも小さく切出した画像を印刷すると、各写真コマの画像の縁の方の部分が必然的に除去されることになるから、写真コマ全体の画像を印刷することはできない。従って、ユーザに提供される画像は、常に、若干の縁の部分を除去した画像のみであるから、ユーザが写真コマ全体の画像の印刷を所望した場合には対応することができなかった。
【０００５】
従って本発明の目的は、画像出力装置において、写真フィルム上の画像全体を切出してユーザに提供できるようにすることにある。
【課題を解決するための手段】
【０００６】
本発明の第１の観点に従う画像出力装置は、写真フィルムをスキャンする読取り手段を有しその読取り手段によるスキャン画像データに基づく画像データを出力するものであって、写真コマの画像領域より少し小さい領域の第１画像データを出力する第１のモードと、上記写真コマの画像領域と一致もしくは少し大きい領域の第２画像データから切り出した所定領域の画像データを出力する第２のモードとを有し、いずれか一方のモードを選択する選択手段と、上記第２のモードが選択された場合は、上記第２画像データが示す画像を切出し手段とともに表示し、上記切出し手段によって切り出した領域の画像データを出力する手段と、を備える。
【０００７】
本発明の第１の観点に係る好適な実施形態では、上記スキャン画像データに基づいて写真コマの画像領域を判別する判別手段と、選択された上記モードに応じて上記判別手段に基づく領域の画像データを取得する取得手段とを備え、上記取得手段は、上記第２のモードが選択された場合は、上記写真コマの画像領域と一致もしくは少し大きい領域の第２画像データを上記スキャン画像データから取得する。
【０００８】
上記とは別の実施形態では、上記切出し手段は上記写真コマの画像領域に略同一なアスペクト比の切り出し枠である。
【０００９】
また、上記とは別の実施形態では、上記記憶媒体には、上記第１のモードでは、写真コマの画像領域より少し小さい領域の第１画像データが記憶され、上記第２のモードでは、上記切出し手段によって切出した領域の画像データが記憶される。
【００１０】
更に、上記とは別の実施形態では、上記印刷手段は、上記第１のモードでは、写真コマの画像領域より少し小さい領域の第１画像データが示す画像を印刷し、上記第２のモードでは、上記切出し手段によって切出した領域の画像データが示す画像を印刷する。
【００１１】
本発明の第２の観点に従う画像出力装置は、写真フィルムをスキャンする読取り手段を有しその読取り手段によるスキャン画像データに基づく画像データを出力するものであって、写真コマの画像領域と一致もしくは少し大きい領域の画像データが示す画像を切出し手段とともに表示し、上記切出し手段によって切出した領域の画像データを出力する手段、を備える。
【００１２】
本発明の第２の観点に係る好適な実施形態では、上記切出し手段は上記写真コマの画像領域に略同一なアスペクト比の切出し枠である。
【００１３】
本発明の第３の観点に従う画像出力方法は、写真フィルムをスキャンする読取り手段を有しその読取り手段によるスキャン画像データに基づく画像データを出力する画像出力装置において、写真コマの画像領域より少し小さい領域の第１画像データを出力する第１のモードと、上記写真コマの画像領域と一致もしくは少し大きい領域の第２画像データから切り出した所定領域の画像データを出力する第２のモードとを有し、いずれか一方のモードを選択するステップと、上記選択するステップにおいて上記第２のモードが選択された場合は、上記第２画像データが示す画像を切出し手段とともに表示し、上記切出し手段によって切り出した領域の画像データを出力するステップと、を備える。
【発明の効果】
【００１４】
本発明によれば、ユーザがフィルムコマの全領域の印刷を要求した場合には、該要求を満足させることが可能であり、また、ユーザが印刷したフィルムコマの画像からの不要部分の自動的な除去を要求した場合にも、該要求を満足させることが可能である画像出力方法、装置を提供することができる。
【発明を実施するための最良の形態】
【００１５】
以下、本発明の実施の形態を、図面により詳細に説明する。
【００１６】
図１は、本発明の一実施形態に係る画像出力装置、及び該画像出力装置に適用されるホルダを示す斜視図である。
【００１７】
まず、画像出力装置の構成について説明する。
【００１８】
画像出力装置は、図１に示すように、箱形の装置本体１と、該装置本体１の正面上部に形成された開口部３と、該装置本体１に内蔵されるランプ５、センサ７、駆動ギヤ９、ミラー１１、レンズ１３、及びラインＣＣＤ１５と、を備える。
【００１９】
開口部３は、例えばホルダ１７、及びホルダ１８のような厚みの異なる複数種類（ここでは２種類）のホルダの挿／脱が自在に行えるように、夫々の種類のホルダの厚みに対応して大きさを段階的に（本実施形態では、２段階に）調節できるように構成されている。
【００２０】
ランプ５には、図示のように、例えば棒状に形成されたもの（ランプ）が用いられている。ランプ５は、装置本体１内の上部の位置であって、上記開口部３から装置本体１内に進入して該装置本体１内を移動するホルダ１７の上方で、且つ、該ホルダ１７に近接する位置に、該ホルダ１７を横断するように設置されている。ここで、該ホルダ１７は、該装置本体１内に挿入されることにより、該装置本体１内において開口部３から該装置本体１の背面側に向かって略水平に布設されているガイドレール（図示しない）に沿って略水平方向に滑らかに移動するようになっている。ランプ５は、写真フィルムに担持されている画像情報を読み取るための光源であり、例えば、線状の光を照射するハロゲンランプ等が用いられる。ランプ５は、例えば赤用、緑用、及び青用（光の３原色）のランプから構成されている。
【００２１】
センサ７は、ランプ５と同様に、装置本体１内の上部の、該装置本体１内を移動するホルダ１７の側面に対応する位置であって、該ホルダ１７に近接する位置に設置されている。センサ７は、例えばフォトリフレクタ等で構成されており、開口部３を通じて装置本体１内に挿入されたホルダ１７の挿入直後における位置、特に該ホルダ１７の始端側の位置を光学的に検出するホルダ１７の位置検出手段として機能する。
【００２２】
駆動ギヤ９は、ランプ５やセンサ７と同様に、装置本体１内の上部の、該装置本体１内を移動するホルダ１７の側面に対応する位置であって、該ホルダ１７に近接する位置に設置されている、例えば正／逆回転自在に構成されたギヤである。本実施形態では、駆動ギヤ９は、図示のように、ホルダ１７を挟んでセンサ７の設置位置と対向する位置に設置されている。駆動ギヤ９は、動力伝達機構（図示しない）を通じて伝達されるモータの回転力によって回転する。駆動ギヤ９は、開口部３を通じて装置本体１内に挿入されるホルダ１７の側面にラック状に形成された歯の列（以下、「ラックプレート」と表記する）１７ａと噛み合うことによりピニオンとして機能する。駆動ギヤ９とラックプレート１７ａとで、ラック＆ピニオン機構を構成している。即ち、駆動ギヤ９は、ラックプレート１７ａと噛み合うことにより、ホルダ１７をラックプレート１７ａの長さ分だけ、装置本体１内を往復移動させるようになっている。
【００２３】
ミラー１１、レンズ１３、及びラインＣＣＤ１５は、何れも装置本体１内の下部に設置されている。ミラー１１は、装置本体１内の下部の、ランプ５の直下の位置に設置されており、入射した光がレンズ１３に向けて反射するように設置角度が調整されている。レンズ１３は、ミラー１１側から入射した光を受けて、ラインＣＣＤ１５に向けて出射する。
【００２４】
ランプ５から出射した光は、ホルダ１７に保持されている写真フィルムを透過してミラー１１に入射し、ミラー１１で反射されてレンズ１３に入射する。そして、レンズ１３から出射した光がラインＣＣＤ１５に入射することにより、ラインＣＣＤ１５に結像する。
【００２５】
次に、ホルダの構成について説明する。本実施形態では、既に説明した符号１７で示す第１の種類のホルダ、及び符号１８で示す第２の種類のホルダの２種類のホルダが用いられる。
【００２６】
ホルダ１７は、通常のピースフィルムを保持するためのもので、図示のように、フィルムの１コマ毎の画像情報記録面に相当する開口部が形成されている。ホルダ１７は、また、その端部に、ホワイトバランスを調整するためにホワイトバランス用窓１７ｂが形成されている。更に、ホルダ１７の側面には、上述したようにラックプレート１７ａが設けられている。
【００２７】
ホルダ１８は、例えばIX-240長巻フィルムについてカートリッジごと保持するためのものであり、ホルダ１７のようなホワイトバランス用窓は設けられていない。ホルダ１８の厚みは、図示のように、ホルダ１７の厚みよりも厚く形成されている。なお、IX-240長巻フィルムを収容するホルダ１８は、カートリッジ内のフィルムの巻き取り、巻き戻し機構と、そのための駆動源（何れも図示しない）を備えている。
【００２８】
図２は、本発明の一実施形態に係る画像出力装置が備える制御系の構成を示すブロック図である。
【００２９】
上記制御系は、図２に示すように、ＣＰＵ２１と、Ａ／Ｄ変換器（以下、「ＡＤＣ」と表記する）２３と、ＣＣＤドライブ回路（以下、「ＣＣＤドライバ」と表記する）２５と、検知回路２７、２９と、を備える。上記制御系は、上記各部に加えて更に、モータドライブ回路（以下、「モータドライバ」と表記する）３１と、ランプドライブ回路（以下、「ランプドライバ」と表記する）３３と、データ通信部３５と、操作部３７と、を備える。なお、ＣＰＵ２１には、データ通信用の通信端子RXD、TXDが夫々接続されている。これらの通信端子RXD、TXDは、装置本体１内に挿入されたホルダ１８（の通信端子）に接続されて、ＣＰＵ２１がホルダ１８との間で通信を行うに際して用いられる。
【００３０】
ＣＣＤドライバ２５は、ＣＰＵ２１の制御下で、ラインＣＣＤ１５を駆動する。ラインＣＣＤ１５は、ＣＣＤドライバ２５により駆動され、ミラー１１、及びレンズ１３を通じてＣＣＤ１５に与えられる、ホルダ１７、又はホルダ１８に保持された写真フィルムの画像情報を読取って、該画像情報をアナログ電気信号に変換し、ＡＤＣ２３に出力する。ＡＤＣ２３は、上記アナログ信号をディジタル信号に変換して、ＣＰＵ２１に出力する。
【００３１】
検知回路２７は、例えば装置本体１内に挿入されたホルダ１７の、挿入直後における始端側位置を検知して、所定の電圧レベル信号をＣＰＵ２１に出力するもので、例えば図１において符号７で示したセンサに対応している。検知回路２９は、例えば装置本体１内に挿入されたホルダ１８の、挿入直後における始端側位置を検知して、所定の電圧レベル信号をＣＰＵ２１に出力するもので、検知回路２７におけると同様に、例えば図１において符号７で示したセンサに対応している。
【００３２】
モータドライバ３１は、ＣＰＵ２１の制御下で、上述したラック＆ピニオン機構を構成している駆動ギヤ９に回転力を伝達するためのステッピングモータ（以下、「ＳＭ」と表記する）３９を駆動する。ＳＭ３９は、モータドライバ３１により駆動され、動力伝達機構（図示しない）、及び上記ラック＆ピニオン機構を通じて、装置本体１内に挿入されたホルダ１７、又はホルダ１８を迅速に駆動する（略水平方向に往復移動させる）。
【００３３】
ランプドライバ３３は、ＣＰＵ２１の制御下で、赤用ランプ４１、緑用ランプ４３、青用ランプ４５を駆動する。赤用ランプ４１、緑用ランプ４３、青用ランプ４５は、ランプドライバ３３によって駆動されて、夫々赤色光、緑色光、青色光をホルダ１７、又はホルダ１８に保持されている写真フィルムに照射する。
【００３４】
データ通信部３５は、ＣＰＵ２１が、インタフェース（以下、「ＩＦ」と表記する）４７を通じて例えばホスト装置（パーソナルコンピュータ）（図示しない）との間でデータの授受を行うときに用いられるものである。データ通信部３５には、例えばSCSIインタフェースが用いられる。操作部３７には、何れも常開接点を持つリセットスイッチＳＷ１、及び電源スイッチＳＶが設けられている。リセットスイッチＳＷ１は、その接点を閉じることによって、ＣＰＵ２１をリセットする。電源スイッチＳＶは、その接点を閉じることによって、ＡＣ電源（商用電源）から電源回路４９を通じたＣＰＵ２１を始めとする上述した制御系の各部への駆動電源の供給を遮断する。
【００３５】
ＣＰＵ２１は、その制御下に置く上記各部の動作を統括的に制御するものである。ＣＰＵ２１は、検知回路２７、又は検知回路２９からの検知信号（所定の電圧レベル信号）に基づいて、例えばホルダ１７のホワイトバランス用窓１７ｂが上記ランプ５とラインＣＣＤ１５との間に位置するように、モータドライバ３１を通じてＳＭ３９を制御することで、所定の位置までホルダ１７を駆動する。これにより、ＣＰＵ２１は、ランプ５から照射され、ホワイトバランス用窓１７ｂを通過した光のラインＣＣＤ１５による読取結果をＡＤＣ２３を通じて入力すると共に、該読取結果に基づいて、ホルダ１７に保持された写真フィルム、又はカートリッジの種類を認識することになる。
【００３６】
図３は、本発明の一実施形態に係る画像出力装置におけるフィルム切出しのアルゴリズムを示す説明図である。
【００３７】
図３において、まず、符号５１は、上述した画像出力装置によるプレビュー読取りで得られた６コマのフィルム画像を示す。このプレビュー読取においては、（６コマの）フィルム画像５１の或る領域よりも少しだけ大き目の領域が上記画像出力装置によって読み込まれる。次に、符号５３は、横軸が明るさ（輝度）を、縦軸が出現頻度（画素数）を、夫々表す（６コマの）フィルム画像５１における輝度情報から作成されるヒストグラムを示す。このヒストグラム５３では、輝度毎に色分けが施される。例えば符号５３ａで示す領域はフィルム以外の領域を、符号５３ｂで示す領域はフィルムにおける画像領域を、更に、符号５３ｃで示す領域はフィルムベース部（コマとコマとの間の領域）を、夫々示す。ヒストグラム５３は、フィルム画像が全体として暗い画像であることを示している。
【００３８】
次に、符号５５は、ヒストグラム５３での色分けに従って色分けされるフィルムを示している。該フィルム５５では、符号５５ａで示す５箇所の部位がフィルムにおける各コマ間の仕切りを、符号５５ｂで示す６箇所の部位が上記フィルムにおける６個のコマを、更に、符号５５ｃで示す２箇所の部位がホルダの部分を、夫々示す。なお、フィルム５５において、右端側は明るく、左端側は暗くなっている。次に、符号５７は、（上述した色分けが施された）フィルム５５から上記色分けに沿って切出された（６個の）フィルムコマを示す。この場合において、フィルム５５から個々の（６個の）フィルムコマ５７が切り出されるに際しては、それらの横方向は、規定位置で固定切出しとなる。
【００３９】
更に、符号５９は、フィルム５５から切出された個々の（６個の）フィルムコマ５７に対して、FIT処理を行ってフィルム画像の色を補正した後の個々の（６個の）フィルムコマを示す。上記個々の（６個の）フィルムコマ５９は、夫々がサムネイル画像として、例えば上記画像出力装置の表示部（図４において、符号６３で示す）に表示される。
【００４０】
図４は、本発明の一実施形態に係る画像出力装置が備えるユーザインタフェースの一例を示す説明図である。
【００４１】
図４で示すユーザインタフェース６１は、図２で示した操作部３７に対応するもので、表示部６３と、キーボード部６５とを備える。表示部６３には、例えば上述した複数個（６個）のフィルムコマ５９等が、図２で示したＣＰＵ２１の制御下で表示される。表示部６３には、また、ユーザがフィルムの切出し領域を選択するに際して利用されるデフォルトの選択枠が表示される。表示部６３に最初に表示される（デフォルトの）選択枠の大きさは、分かっているフィルムのコマ画像の比（縦横比、又はアスペクト比ともいう）と同一大きさに設定されている。なお、表示部６３に表示される選択枠のアスペクト比は、識別されたフォルダにより把握されるフィルム種のアスペクト比と略同一のアスペクト比に変更しても差し支えない。
【００４２】
キーボード部６５には、２個のデフォルト領域の大きさ変更用ボタン（以下、「大きさ変更用ボタン」と表記する）６７ａ、６７ｂと、４個のデフォルト領域の位置変更用ボタン（以下、「位置変更用ボタン」と表記する）６９ａ、６９ｂ、６９ｃ、６９ｄが配置されている。大きさ変更用ボタン６７ａは、押圧操作されることにより、表示部６３に最初に表示された選択枠（縦横比（アスペクト比）が各写真コマのそれと同一大きさに設定されたデフォルトの選択枠）の大きさを（段階的にではなく）連続的に拡大させるように機能する。一方、大きさ変更用ボタン６７ｂは、押圧操作されることにより、表示部６３に最初に表示された選択枠の大きさを（段階的にではなく）連続的に縮小させるように機能する。
【００４３】
位置変更用ボタン６９ａは、押圧操作されることにより、表示部６３に最初に表示された選択枠の大きさを変えることなく、現在表示部６３に表示されている位置よりも左方向に（段階的にではなく）連続的に移動させるように機能する。また、位置変更用ボタン６９ｂは、押圧操作されることにより、表示部６３に最初に表示された選択枠の大きさを変えることなく、現在表示部６３に表示されている位置よりも右方向に（段階的にではなく）連続的に移動させるように機能する。
【００４４】
また、位置変更用ボタン６９ｃは、押圧操作されることにより、表示部６３に最初に表示された選択枠の大きさを変えることなく、現在表示部６３に表示されている位置よりも上方向に（段階的にではなく）連続的に移動させるように機能する。更に、位置変更用ボタン６９ｄは、押圧操作されることにより、表示部６３に最初に表示された選択枠の大きさを変えることなく、現在表示部６３に表示されている位置よりも下方向に（段階的にではなく）連続的に移動させるように機能する。
【００４５】
なお、キーボード部６５には、上記各ボタンに加えて更に、種々の機能を奏するボタンが複数個配置されているものとする。
【００４６】
図５は、本発明の一実施形態に係る画像出力装置が有する第１、第２の２種類のフィルム画像読取モードを示す説明図である。
【００４７】
第１のフィルム画像読取モードは、図２で示したＣＰＵ２１が、推定した写真コマ領域より少し小さい領域を自動的に切出して表示部６３（図４で示した）に表示するモードで、例えば簡易モードと称される。該簡易モードでは、各写真コマの画像を切出すとき、ホルダ部分や、写真コマと写真コマとの間の仕切りの領域を間違って切出してしまうことのないよう、例えば図２で示したＣＰＵ２１が、プレスキャン画像（プレスキャンニングを行って得た画像）の画像処理によって推定して得た写真コマの画像領域（各写真画像の領域）よりも、或る程度（若干）小さい内側の領域を切出す動作が行われる。換言すれば、簡易モードでは、各フィルムコマのサイズよりも或るマージン分小さい領域の画像を認識して、それを自動的に切出す動作が実行される。これにより、余計な領域（画像領域外の領域）が含まれないようにすることができるので、例えばフィルムを保持したホルダと画像出力装置との間に、機械的な位置合わせ精度によるズレがあっても、画像部分のみを確実に切出すことが可能になる。
【００４８】
図５に示す例では、フィルムコマ（写真コマ）４が、上記簡易モードにより切出されたものであり、従って、図示のように、該フィルムコマ（写真コマ）４の全体を切出すことができないのは明らかである。
【００４９】
第２のフィルム画像読取モードは、（図２で示したＣＰＵ２１が、）推定した写真コマ領域より少し大きい領域（即ち、認識した写真コマ領域より４方向に或るマージンだけ大きい領域）を認識して、自動的に切出して表示部６３（図４で示した）に表示し、デフォルトでのユーザによる選択範囲を呈示するモードで、例えばズームモード（或いは正確モード）と称される。該ズームモードでは、各写真コマの画像を切出すとき、例えば図２で示したＣＰＵ２１が、プレスキャンニングを行って得た画像の画像処理によって推定して得た写真コマの画像領域よりも、或る程度（若干）大きい外側の領域（確実に写真コマ全体が取り込める大きさの領域）を切出して、該大きく切出した画像を表示部６３（図４で示した）に表示する動作が行われる。そして、上記表示された画像の中から、ユーザが最終的に切出したい部分（ユーザが所望する部分）を、ユーザに選択させる。この選択は、表示部６３（図４で示した）に表示される選択枠を利用して行われる。
【００５０】
ここで、写真コマの画像領域は、ホルダの挿入位置などを基準として予め決められた範囲でも、スキャン時に判別した範囲でも良い。第１の（フィルム画像読取）モードでは、（推定した写真コマ領域より少し小さい画像領域データである）第１画像データを表示部６３に表示しないで出力しても良い。なお、第１の（フィルム画像読取）モードでも、第１画像データを表示部６３に表示して切出しを行っても良い。但し、ユーザの介在による切出しモードの選択を必要とする点で、第２の（フィルム画像読取）モードと相違する。
【００５１】
また、ここでいうモード（第１のフィルム画像読取モード、及び第２のフィルム画像読取モード）は、写真コマの領域よりも小さい領域、又は一致若しくは大きい領域をユーザに直接的に提示して選択させる場合は勿論のこと、以下のような間接的に提示して選択させる場合をも含んでいる。例えばユーザに対し、“印刷モード”と“編集して印刷モード”とを選択可能に提示し、“印刷モード”が選択されると（ユーザが特に選択した場合を除いて）切出しモードが選択されずに印刷が実行され、“編集して印刷モード”が選択されると切出しモードが自動的に選択され、切出しモードを経てから印刷が実行されるようにしても良い。
【００５２】
既述のように、表示部６３に最初に表示されるデフォルトの選択枠の大きさは、分かっているフィルムのコマ画像の比と同一大きさに設定されている。ユーザは、該選択枠の大きさを拡大したいときには、図４で示した大きさ変更用ボタン６７ａを、これとは逆に該選択枠の大きさを縮小したいときには、図４で示した大きさ変更用ボタン６７ｂを、夫々押圧操作する。これによって、上記選択枠の大きさをユーザの所望に応じて自在に可変調整することが可能である。
【００５３】
また、ユーザは、表示部６３における上記選択枠の表示位置を上方向に移動させたいときには、図４で示した位置変更用ボタン６９ｃを、これとは逆に上記選択枠の表示位置を下方向に移動させたいときには、図４で示した位置変更用ボタン６９ｄを、夫々押圧操作する。更に、ユーザは、表示部６３における上記選択枠の表示位置を左方向に移動させたいときには、図４で示した位置変更用ボタン６９ａを、これとは逆に上記選択枠の表示位置を右方向に移動させたいときには、図４で示した位置変更用ボタン６９ｂを、夫々押圧操作する。これによって、上記選択枠の表示位置を、ユーザの所望に応じて自在に可変調整することが可能である。
【００５４】
上述した大きさ変更用ボタン６７ａ、６７ｂ、位置変更用ボタン６９ａ、６９ｂ、６９ｃ、６９ｄを押圧操作することにより、ユーザの所望する写真コマの切出し範囲をより正確に選択することができる。なお、フィルムを保持するためのホルダは、フィルムの種類によって異なっているので、図２で示したＣＰＵ２１は、例えば図２で示したラインＣＣＤ１５からの出力信号に基づいて、どのホルダが使用されているかを識別することにより、どの種類のフィルムが使用されているかを把握することが可能である。
【００５５】
図５に示す例では、フィルムコマ（写真コマ）２が、上記ズームモードにより切出されたものであり、従って、図示のように、該フィルムコマ（写真コマ）２の略全体を切出すことが可能であるのは明らかである。
【００５６】
図６は、本発明の一実施形態に係る画像出力装置において、第１、第２の２種類のフィルム画像読取モードのうちの何れかが選択されるに際しての処理動作を示すフローチャートである。
【００５７】
図６において、まず、ＣＰＵ２１は、例えば操作部３７に配置されている２種類のフィルム画像読取モード選択ボタン（何れも図示しない）のうちの何れが押圧操作されたかをチェックする。これにより、第１のモードである簡易モード、又は第２のモードであるズームモードの何れが選択されたかを判断する（ステップＳ７１）。このモード選択に係る判断処理が終了すると、次に、ラインＣＣＤ１５からの出力信号に基づいて、読取るべき画像が担持されているフィルムの種類を識別する。ここでいうフィルムの種類としては、例えばストリップフィルムや、スライドフィルムや、ネガや、ポジ等が挙げられる（ステップＳ７２）。
【００５８】
次に、上記種類を識別したフィルムに関してプレスキャンを行うことにより、画像領域（写真コマの領域）と非画像領域（ホルダ部分、及びフィルムにおける写真コマ同士の仕切り領域）とを識別するための処理を実行する（ステップＳ７３）。この画像領域／非画像領域の識別処理が終了すると、次に、認識した画像を図４で示した表示部６３に表示するための処理を行う。ここでは、切出された各写真コマの画像が、ステップＳ７１で判断したモードに応じた表示態様で表示部６３に表示される。即ち、上述した第１のモードが選択されているときには、各写真コマよりも少しばかり内側で切出されたコマ画像が、また、上記第２のモードが選択されているときには、上記とは逆に各写真コマよりも少しばかり外側で切出されたコマ画像が、夫々ＣＰＵ２１によって表示部６３に表示される（ステップＳ７４）。
【００５９】
次に、ＣＰＵ２１は、印刷対象となるフィルム画像（写真コマ）の選択を行う（ステップＳ７５）。ステップＳ７１で、ユーザが選択したモードがズームモードであると判断した場合には、図４で示した大きさ変更用ボタン６７ａ、６７ｂ、又は位置変更用ボタン６９ａ〜６９ｄのユーザによる押圧操作によって、切出しを行うコマ画像の領域の可変調整が行われることになる（ステップＳ７６）。そして、次に、上記可変調整が行われたコマ画像の領域に基づいて、ＣＰＵ２１が上述した画像出力装置に接続されているプリンタ（図示しない）に対し、印刷対象である画像に係わる情報と、ユーザによって選択された切出しを行う領域に係わる情報とを含んだ印刷の指示を出して（ステップＳ７７）、一連の処理動作を終了する。
【００６０】
ステップＳ７５において、ステップＳ７１で、ユーザが選択したモードが簡易モードであると判断した場合には、ステップ７５で示した処理動作から直ちにステップＳ７７で示した処理動作に移行する。なお、ユーザが簡易モードを選択した場合であっても、上記選択枠の大きさが通常の大きさよりも狭く設定されている場合には、ステップＳ７５で示した処理動作からステップＳ７６で示した処理動作に移行することになる。
【００６１】
図７は、本発明の一実施形態に係る画像出力装置において、第２のフィルム画像読取モードが選択された場合の処理動作を示すフローチャートである。
【００６２】
図７において、まず、ＣＰＵ２１は、上記ズームモードがユーザによって選択されたことを認識すると、特定の写真コマについてラインＣＣＤ１５を通じて認識した画像を、図４で示した表示部６３に表示するための処理を行う（ステップＳ８１）。次に、表示部６３に表示中の写真コマ画像について、ユーザが該写真コマの全体ぎりぎりを切出す、ピッタリ全体切出しを選択したか、或いは、該写真コマにおける、ユーザが所望する（任意の）部分を切出す任意部分の切出しを選択したかチェックする（ステップＳ８２）。
【００６３】
ここで、ユーザがピッタリ全体切出しを選択したと判断した場合には、ＣＰＵ２１は、図４で示した表示部６３にデフォルトの選択枠を表示する。この選択枠の大きさ（範囲）、即ち、デフォルトの領域は、そのアスペクト比（縦横比）が、写真コマのそれ（アスペクト比）と同一に設定されている（ステップＳ８３）。次に、上記選択枠の表示部６３における表示位置や大きさを、図４で示した大きさ変更用ボタン６７ａ、６７ｂや、位置変更用ボタン６９ａ〜６９ｄを通じてユーザから与えられる指令に基づき、ＣＰＵ２１は、上記選択枠の位置や大きさを調節した後（ステップＳ８４）、印刷処理動作へ移行する（ステップＳ８６）。
【００６４】
一方、ユーザが任意部分の切出しを選択したと判断した場合には（ステップＳ８２）、ＣＰＵ２１は、図４で示した大きさ変更用ボタン６７ａ、６７ｂや、位置変更用ボタン６９ａ〜６９ｄを通じてユーザから与えられる指令に基づき、ＣＰＵ２１は、上記選択枠をユーザが指定した領域に適合するよう設定した後（ステップＳ８５）、印刷処理動作へ移行する（ステップＳ８６）。
【００６５】
以上説明したように、本発明の一実施形態によれば、ユーザがフィルムコマの全領域の印刷を要求した場合には、該要求を満足させることが可能であり、また、ユーザが印刷したフィルムコマの画像からの不要部分の自動的な除去を要求した場合にも、該要求を満足させることが可能である画像出力装置を提供することができる。
【００６６】
以上、本発明の好適な実施形態を説明したが、これは本発明の説明のための例示であって、本発明の範囲をこの実施形態にのみ限定する趣旨ではない。本発明は、他の種々の形態でも実施することが可能である。
【図面の簡単な説明】
【００６７】
【図１】本発明の一実施形態に係る画像出力装置、及び該画像出力装置に適用されるホルダを示す斜視図。
【図２】本発明の一実施形態に係る画像出力装置が備える制御系の構成を示すブロック図。
【図３】本発明の一実施形態に係る画像出力装置におけるフィルム切出しのアルゴリズムを示す説明図。
【図４】本発明の一実施形態に係る画像出力装置が備えるユーザインタフェースの一例を示す説明図。
【図５】本発明の一実施形態に係る画像出力装置が有する第１、第２の２種類のフィルム画像読取モードを示す説明図。
【図６】本発明の一実施形態に係る画像出力装置において、第１、第２の２種類のフィルム画像読取モードのうちの何れかが選択されるに際しての処理動作を示すフローチャート。
【図７】本発明の一実施形態に係る画像出力装置において、第２のフィルム画像読取モードが選択された場合の処理動作を示すフローチャート。
【符号の説明】
【００６８】
１  （箱形の）装置本体
３  開口部
５  ランプ
７  センサ
９  駆動ギヤ
１１  ミラー
１３  レンズ
１５  ラインＣＣＤ
２１  ＣＰＵ
２３  Ａ／Ｄ変換器（ＡＤＣ）
２５  ＣＣＤドライブ回路（ＣＣＤドライバ）
２７、２９  検知回路
３１  モータドライブ回路（モータドライバ）
３３  ランプドライブ回路（ランプドライバ）
３５  データ通信部
３７  操作部
３９  ステッピングモータ（ＳＭ）
４１  赤用ランプ
４３  緑用ランプ
４５  青用ランプ
４７  インタフェース（ＩＦ）
４９  電源回路
【図１】
2005323184.tif 000003
【図２】
2005323184.tif 000004
【図３】
2005323184.tif 000005
【図４】
2005323184.tif 000006
【図５】
2005323184.tif 000007
【図６】
2005323184.tif 000008
【図７】
2005323184.tif 000009